(57)【要約】【課題】光ディスクに照射される光の出力の変動を抑制することができ、光ディスクに対して安定した読み取りや書き込みを行うことが可能な光ピックアップを提供する。【解決手段】光ピックアップ１０は、第１の光を出射する第１レーザ素子１１と、第１の光の一部を所定の反射角度で第１対物出射光Ｌ１ａとして反射し、第１の光の残りを第１モニター光Ｌ１ｂとして透過して第１の光を分割する第１分割ミラー１６と、第１対物出射光Ｌ１ａを集光する第１対物レンズ１７と、第１モニター光Ｌ１ｂを受光するモニター部２４と、を備える。モニター部２４は、第１分割ミラー１６で反射した第１対物出射光Ｌ１ａの進行方向に対して逆側に位置する第１モニター光Ｌ１ｂの光束の周縁部の所定領域である干渉が発生しない領域Ｓ内の光を受光するよう配置される。【選択図】図２
2015041398.tif 000002
【特許請求の範囲】
【請求項１】
第１の光を出射する第１光源と、
前記第１の光の一部を所定の反射角度で第１対物出射光として反射し、前記第１の光の残りをモニター光として透過して前記第１の光を分割する第１分割ミラーと、
前記第１対物出射光を集光する第１対物レンズと、
前記モニター光を受光するモニター部と、
を備え、
前記モニター部が、前記第１分割ミラーで反射した前記第１対物出射光の進行方向に対して逆側に位置する前記モニター光の光束の周縁部の所定領域内の光を受光するよう配置されることを特徴とする光ピックアップ。
【請求項２】
前記第１分割ミラーの厚みをｔとし、前記第１分割ミラーの屈折率をｎとして、
前記所定領域が、前記第１対物出射光の進行方向に対して逆側に位置する前記モニター光の光束の端部から式（１）で表される幅を持つ領域であることを特徴とする請求項１に記載の光ピックアップ。
【数３】
2015041398.tif 000005
【請求項３】
前記モニター部は、その受光領域が前記所定領域内に収まる大きさをなすことを特徴とする請求項１または請求項２に記載の光ピックアップ。
【請求項４】
前記第１の光とは波長が異なる第２の光を出射する第２光源と、
前記第１分割ミラーと前記モニター部との間に配置され、前記第２の光を所定の反射角度で第２対物出射光として反射し、前記モニター光を略透過する第２分割ミラーと、
前記第２対物出射光を集光する第２対物レンズと、
を備えることを特徴とする請求項１〜請求項３のいずれか１項に記載の光ピックアップ。
【請求項５】
前記第１光源が、光ビームの空間強度分布に前記光ビームの径方向の略全域にわたって強度が略平坦となる部分を有する前記第１の光を出射するとともに、前記光ビームの強度の前記略平坦となる方向が前記第１対物出射光の進行方向に沿い略平行をなすことを特徴とする請求項１〜請求項４のいずれか１項に記載の光ピックアップ。
【請求項６】
請求項１〜請求項５のいずれか１項に記載の光ピックアップを備えたことを特徴とする光ディスク装置。
【発明の詳細な説明】
【技術分野】
【０００１】
本発明は光ピックアップ及び光ディスク装置に関する。
【背景技術】
【０００２】
光ディスク装置はＢＤ（Blu-ray（登録商標） Disc）やＤＶＤ（Digital Versatile Disc）、ＣＤ（Compact Disc）などの光ディスクから情報を読み取ったり、光ディスクに情報を書き込んだりする際に利用される。光ディスク装置は光ピックアップを用いて光源からの光を光ディスクに向かって照射し、光ディスクで反射した光を読み取って電気信号に変換、出力する。
【０００３】
光ピックアップを用いて光ディスクに対して安定した読み取りや書き込みを行うには、光源が出射する光の出力を好適に制御する必要がある。このため、光源が出射した光の出力をモニタリングしてその出力を一定に保持するフロントモニタ式の自動出力制御を利用する光ピックアップが提案されている。そのような従来の光ピックアップが例えば特許文献１に開示されている。
【０００４】
特許文献１に記載された従来の光ピックアップは半導体レーザから出射されたレーザ光を回折格子、コリメートレンズを介して平行光にし、ハーフミラー（分割ミラー）で反射光と透過光とに分割する。反射光は対物レンズにより光ディスクの情報記録面で集光される。一方、透過光はフロントモニタ検出器（モニター部）で受光される。そして、フロントモニタ検出器の出力に基づき半導体レーザの駆動電流を自動制御し、レーザ光の出力を一定に保持することを図っている。
【先行技術文献】
【特許文献】
【０００５】
【特許文献１】特開２００７−２１３６４９号公報
【発明の概要】
【発明が解決しようとする課題】
【０００６】
しかしながら、上記従来の光ピックアップにおいて分割ミラーに平行平板を用いる場合、分割ミラーを直接透過してモニター部に向かう直接透過光と、分割ミラーの内部で反射してモニター部に向かう内部反射光とが互いに干渉することがある。この分割ミラーにおける直接透過光と内部反射光との干渉は温度や湿度などといった周囲環境の変化が、光源が出射する光に影響を与えることによるものと考えられる。そして、このような分割ミラーにおける直接透過光と内部反射光との干渉が発生すると、光源が出射する光をモニター部が正確に受光することができず、光の出力が変動する可能性がある。したがって、光ディスクに対して安定した読み取りや書き込みを行うことができない虞がある。
【０００７】
本発明は、上記の点に鑑みなされたものであり、光ディスクに照射される光の出力の変動を抑制することができ、光ディスクに対して安定した読み取りや書き込みを行うことが可能な光ピックアップ及び光ディスク装置を提供することを目的とする。
【課題を解決するための手段】
【０００８】
上記の課題を解決するため、本発明の光ピックアップは、第１の光を出射する第１光源と、前記第１の光の一部を所定の反射角度で第１対物出射光として反射し、前記第１の光の残りをモニター光として透過して前記第１の光を分割する第１分割ミラーと、前記第１対物出射光を集光する第１対物レンズと、前記モニター光を受光するモニター部と、を備え、前記モニター部が、前記第１分割ミラーで反射した前記第１対物出射光の進行方向に対して逆側に位置する前記モニター光の光束の周縁部の所定領域内の光を受光するよう配置されることを特徴としている。
【０００９】
この構成によれば、第１分割ミラーが例えば平行平板からなる場合であっても、第１対物出射光の進行方向に対して逆側に位置するモニター光の光束の周縁部の所定領域にモニター部を配置することで、モニター部は干渉が発生していない適正なモニター光を受光することが可能となる。
【００１０】
また、上記構成の光ピックアップにおいて、前記第１分割ミラーの厚みをｔとし、前記第１分割ミラーの屈折率をｎとして、前記所定領域が、前記第１対物出射光の進行方向に対して逆側に位置する前記モニター光の光束の端部から式（１）で表される幅を持つ領域であることを特徴としている。
【００１１】
【数１】
2015041398.tif 000003
【００１２】
この構成によれば、所定領域がモニター光の第１分割ミラーに係る直接透過光と内部反射光との干渉が発生しない領域であることが明確になる。したがって、モニター部が適正なモニター光を受光するようにモニター部を配置することが容易になる。
【００１３】
また、上記構成の光ピックアップにおいて、前記モニター部は、その受光領域が前記所定領域内に収まる大きさをなすことを特徴としている。
【００１４】
この構成によれば、光ピックアップの稼働中にモニター光の光束が多少変位した場合であっても、モニター部は干渉が発生していない適正なモニター光を受光する。
【００１５】
また、上記構成の光ピックアップにおいて、前記第１の光とは波長が異なる第２の光を出射する第２光源と、前記第１分割ミラーと前記モニター部との間に配置され、前記第２の光を所定の反射角度で第２対物出射光として反射し、前記モニター光を略透過する第２分割ミラーと、前記第２対物出射光を集光する第２対物レンズと、を備えることを特徴としている。
【００１６】
一般的には、光ピックアップにおいてＤＶＤ用の光でモニター光の干渉が発生し易く、ＣＤ及びＢＤ用の光ではモニター光の干渉が発生し難いことが分かっている。この構成によれば、例えばＣＤ及びＤＶＤ用の第１光源とＢＤ用の第２光源とを備える光ピックアップにおいて、モニター部は干渉が発生していない適正なモニター光を受光する。
【００１７】
また、上記構成の光ピックアップにおいて、前記第１光源が、光ビームの空間強度分布に前記光ビームの径方向の略全域にわたって強度が略平坦となる部分を有する前記第１の光を出射するとともに、前記光ビームの強度の前記略平坦となる方向が前記第１対物出射光の進行方向に沿い略平行をなすことを特徴としている。
【００１８】
この構成によれば、モニター光の干渉が発生しない領域における強度が比較的高くなる。したがって、モニター部は干渉が発生していない適正なモニター光を受光し易くなる。
【００１９】
また、本発明に係る光ディスク装置は上記光ピックアップを備えることとした。
【００２０】
この構成によれば、光ディスク装置において、第１分割ミラーが分割したモニター光を受光するモニター部が、干渉が発生していない適正なモニター光を受光することが可能となる。
【発明の効果】
【００２１】
本発明の構成によれば、光ディスクに照射される光の出力の変動を抑制することができ、光ディスクに対して安定した読み取りや書き込みを行うことが可能な光ピックアップ及び光ディスク装置を提供することができる。
【図面の簡単な説明】
【００２２】
【図１】本発明の第１実施形態に係る光ディスク装置の構成図である。
【図２】本発明の第１実施形態に係る光ディスク装置の光ピックアップの分割ミラー及びモニター部周辺の詳細な構成図である。
【図３】本発明の第２実施形態に係る光ディスク装置の構成図である。
【図４】本発明の第２実施形態に係る光ディスク装置の光ピックアップの分割ミラー及びモニター部周辺の詳細な構成図である。
【図５】本発明の第３実施形態に係る光ディスク装置の光ピックアップの分割ミラー及びモニター部周辺の詳細な構成図である。
【図６】本発明の第４実施形態に係る光ディスク装置の光ピックアップの第１レーザ素子（第１光源）の光ビームの空間強度分布の構成を示す説明図である。
【発明を実施するための形態】
【００２３】
以下、本発明の実施形態を図１〜図６に基づき説明する。なお、本実施形態の光ディスク装置はＢＤ、ＤＶＤ、ＣＤなどといった規格の光ディスクに対して情報の読み取りや書き込みを行うことができる。
【００２４】
＜第１実施形態＞
最初に、本発明の第１実施形態に係る光ディスク装置について、図１を用いてその構成の概略を説明する。図１は光ディスク装置の構成図である。光ディスクは図１における紙面手前側に配置される。
【００２５】
光ディスク装置１は、図１に示すように光ピックアップ１０、信号処理部２及び制御部３を備える。そして、光ピックアップ１０は第１レーザ素子（第１光源）１１、ビームスプリッタ１２、偏光ビームスプリッタ１３、１／４波長板１４、コリメートレンズ１５、第１分割ミラー１６、第１対物レンズ１７、第２レーザ素子（第２光源）１８、回折素子１９、第２分割ミラー２０、第２対物レンズ２１、シリンドリカルレンズ２２、光検出器２３及びモニター部２４を備える。
【００２６】
なお、光ピックアップ１０は複数の光学部材がＤＶＤ及びＣＤ用の光路と、ＢＤ用の光路とで共用される構成をなす。これにより、光ピックアップ１０は少ない部品点数でＢＤ、ＤＶＤ及びＣＤに対応することが可能であり、構成がより小型化されている。
【００２７】
まず、ＤＶＤ及びＣＤ用の光路に関して各構成要素を説明する。第１レーザ素子（第１光源）１１は半導体レーザ素子からなる。第１レーザ素子１１はＤＶＤ用の例えば波長６５０ｎｍ帯のレーザ光と、ＣＤ用の例えば波長７８０ｎｍ帯のレーザ光とを切り替えて出射できる２波長レーザからなる。
【００２８】
第１レーザ素子１１が出射したレーザ光（第１の光）はビームスプリッタ１２により反射され、偏光ビームスプリッタ１３を透過する。偏光ビームスプリッタ１３はＢＤ用のレーザ光に作用する光学部材であり、ＤＶＤ及びＣＤ用のレーザ光各々はその偏光状態に関係なく透過する。
【００２９】
偏光ビームスプリッタ１３を透過した第１レーザ素子１１のレーザ光は１／４波長板１４を透過してコリメートレンズ１５に至り、平行光に変換される。コリメートレンズ１５は不図示のレンズ駆動機構によって光軸方向（図１に示す白抜き矢印の方向）に移動可能である。コリメートレンズ１５は光ディスクの種類やレイヤージャンプ等に応じて適宜移動される。コリメートレンズ１５が移動可能であるのは、第１対物レンズ１７及び第２対物レンズ２１に入射するレーザ光の収束、発散度合いを調節して、球面収差の影響を適切に抑制できるようにするためである。
【００３０】
コリメートレンズ１５を透過した第１レーザ素子１１の平行光からなるレーザ光は第１分割ミラー１６によって所定の反射角度で反射されて第１対物レンズ１７に至る。第１対物レンズ１７は入射したレーザ光を光ディスクの情報記録面に集光する。
【００３１】
第１対物レンズ１７により光ディスクの情報記録面に集光した第１レーザ素子１１のレーザ光はその情報記録面で反射して戻り光となる。第１レーザ素子１１の戻り光は第１対物レンズ１７を透過後に第１分割ミラー１６で反射され、コリメートレンズ１５、１／４波長板１４、偏光ビームスプリッタ１３、ビームスプリッタ１２を順に透過する。ビームスプリッタ１２を透過した第１レーザ素子１１の戻り光はシリンドリカルレンズ２２を透過することで非点収差が補正され、光検出器２３の所定の受光領域に集光される。
【００３２】
光検出器２３は入射した第１レーザ素子１１の戻り光を電気信号に光電変換して出力する。光検出器２３が出力した電気信号は信号処理部２に送られる。信号処理部２は再生信号、フォーカスエラー信号、トラッキングエラー信号等を生成する。フォーカスエラー信号及びトラッキングエラー信号は制御部３に出力され、制御部３が第１対物レンズ１７の適正な位置調整を行うためのフォーカシング制御及びトラッキング制御に利用する。第１対物レンズ１７は不図示のレンズ位置調整機構によって位置調整が可能である。
【００３３】
次に、ＢＤ用の光路に関して各構成要素を説明する。第２レーザ素子（第２光源）１８は半導体レーザ素子からなる。第２レーザ素子１８はＢＤ用の例えば波長４０５ｎｍ帯のレーザ光を出射できる。
【００３４】
第２レーザ素子１８が出射したレーザ光（第２の光）は回折素子１９によって主光と２つの副光とに分けられる。回折素子１９を透過した第２レーザ素子１８のレーザ光は偏光ビームスプリッタ１３によって反射される。
【００３５】
偏光ビームスプリッタ１３を透過した第２レーザ素子１８のレーザ光は１／４波長板１４を透過してコリメートレンズ１５に至り、平行光に変換される。コリメートレンズ１５を透過した第１レーザ素子１１の平行光からなるレーザ光は第１分割ミラー１６に至る。第１分割ミラー１６はダイクロイックミラーであり、ＤＶＤ及びＣＤ用のレーザ光は反射するが、ＢＤ用のレーザ光は透過可能となっている。
【００３６】
第１分割ミラー１６を透過した第２レーザ素子１８のレーザ光は第２分割ミラー２０によって所定の反射角度で反射されて第２対物レンズ２１に至る。第２対物レンズ２１は入射したレーザ光を光ディスクの情報記録面に集光する。
【００３７】
第２対物レンズ２１により光ディスクの情報記録面に集光した第２レーザ素子１８のレーザ光はその情報記録面で反射して戻り光となる。第２レーザ素子１８の戻り光は第２対物レンズ２１を通過後に第２分割ミラー２０で反射され、第１分割ミラー１６、コリメートレンズ１５、１／４波長板１４、偏光ビームスプリッタ１３、ビームスプリッタ１２を順に透過する。ビームスプリッタ１２を透過した第２レーザ素子１８の戻り光はシリンドリカルレンズ２２を透過することで非点収差が補正され、光検出器２３の所定の受光領域に集光される。
【００３８】
光検出器２３は入射した第２レーザ素子１８の戻り光を電気信号に光電変換して出力する。光検出器２３が出力した電気信号は信号処理部２に送られる。信号処理部２は再生信号、フォーカスエラー信号、トラッキングエラー信号等を生成する。フォーカスエラー信号及びトラッキングエラー信号は制御部３に出力され、制御部３が第２対物レンズ２１の適正な位置調整を行うためのフォーカシング制御及びトラッキング制御に利用する。第２対物レンズ２１は不図示のレンズ位置調整機構によって位置調整が可能である。
【００３９】
また、第１分割ミラー１６は第１レーザ素子１１のレーザ光の一部を第１対物出射光として第１対物レンズ１７に向けて反射し、第１レーザ素子１１のレーザ光の残りを第１モニター光として透過する。同様に、第２分割ミラー２０は第２レーザ素子１８のレーザ光の一部を第２対物出射光として第２対物レンズ２１に向けて反射し、第２レーザ素子１８のレーザ光の残りを第２モニター光として透過する。なお、第２分割ミラー２０は第１レーザ素子１１の第１モニター光を透過する。
【００４０】
モニター部２４は第１レーザ素子１１の第１モニター光と第２レーザ素子１８の第２モニター光とを受光し、電気信号に光電変換して出力する。モニター部２４が出力した電気信号は制御部３に送られる。制御部３は受信した第１モニター光と第２モニター光とに係る信号に基づき、第１レーザ素子１１及び第２レーザ素子１８のレーザ出力を制御する。
【００４１】
続いて、光ピックアップ１０の分割ミラー及びモニター部周辺の詳細な構成について、図１に加えて図２を用いて説明する。図２は光ピックアップの分割ミラー及びモニター部周辺の詳細な構成図である。
【００４２】
なお、図２の左側は、図１の下方から紙面に沿って平行に上方に向かって分割ミラー及びモニター部周辺を見た図である。対物レンズ及び光ディスクは図２における上方に配置される。図２の右側には、モニター部２４に到達する第１モニター光Ｌ１ｂの光束をモニター部２４への入射側から見た図を描画している。また、図２には、第１レーザ素子１１が出射したＤＶＤ及びＣＤ用のレーザ光（第１の光）の進行経路及び進行方向を破線矢印で描画している。
【００４３】
第１分割ミラー１６及び第２分割ミラー２０は、図２における水平方向の左方から入射するレーザ光が略直角に上方に向かって反射するよう所定の角度で傾斜した状態で配置される。第１分割ミラー１６及び第２分割ミラー２０はともに平行平板からなる。第１分割ミラー１６は、例えば第１レーザ素子１１のレーザ光の約９２％を第１対物出射光Ｌ１ａとして第１対物レンズ１７に向けて反射し、第１レーザ素子１１のレーザ光の約８％を第１モニター光Ｌ１ｂとして透過する。
【００４４】
そして、ＤＶＤ及びＣＤ用の第１モニター光Ｌ１ｂに関して言えば、図２に示したように第１分割ミラー１６を直接透過してモニター部２４に向かう直接透過光と、第１分割ミラー１６の内部で反射してモニター部２４に向かう内部反射光とが互いに干渉することがある。第１分割ミラー１６において第１モニター光Ｌ１ｂの直接透過光と内部反射光との干渉が発生すると、図２の右側に描画したようにモニター部２４に到達する第１モニター光Ｌ１ｂの光束に干渉領域（斜線部）が生じる。
【００４５】
これに対して、モニター部２４は第１分割ミラー１６で反射した第１対物出射光Ｌ１ａの進行方向に対して逆側、すなわち図２において下側に位置する第１モニター光Ｌ１ｂの光束の周縁部の所定領域である干渉が発生しない領域Ｓ内の光を受光するよう配置される。これにより、モニター部２４は干渉が発生していない適正な第１モニター光Ｌ１ｂを受光することが可能となる。したがって、光ピックアップ１０は光ディスクに照射される第１対物出射光Ｌ１ａの出力の変動を抑制することができ、光ディスクに対して安定した読み取りや書き込みを行うことが可能になる。
【００４６】
また、第１モニター光Ｌ１ｂの干渉が発生しない領域Ｓは、第１分割ミラー１６の厚みをｔとし、第１分割ミラー１６の屈折率をｎとして、第１対物出射光Ｌ１ａの進行方向に対して逆側に位置する第１モニター光Ｌ１ｂの光束の端部から式（１）で表される幅Ｗを持つ領域である。
【００４７】
【数２】
2015041398.tif 000004
【００４８】
この構成によれば、領域Ｓが第１モニター光Ｌ１ｂの第１分割ミラー１６に係る直接透過光と内部反射光との干渉が発生しない領域であることを明確にすることができる。したがって、モニター部２４が適正な第１モニター光Ｌ１ｂを受光するようにモニター部２４を配置することが容易になる。
【００４９】
そして、モニター部２４はその受光領域２４ａが第１モニター光Ｌ１ｂの干渉が発生しない領域Ｓ内に収まる大きさをなす。この構成によれば、光ピックアップ１０の稼働中に第１モニター光Ｌ１ｂの光束が多少変位した場合であっても、モニター部２４は干渉が発生していない適正な第１モニター光Ｌ１ｂを受光することが可能である。
【００５０】
また、光ピックアップ１０は、ＤＶＤ及びＣＤ用の第１レーザ素子１１が出射するレーザ光とは波長が異なるレーザ光を出射するＢＤ用の第２レーザ素子１８と、第１分割ミラー１６とモニター部２４との間に配置され、第２レーザ素子１８のレーザ光を所定の反射角度で第２対物出射光として反射し、第１モニター光Ｌ１ｂを略透過する第２分割ミラー２０と、第２対物出射光を集光する第２対物レンズ２１と、を備える。この構成によれば、ＣＤ及びＤＶＤ用の第１レーザ素子１１とＢＤ用の第２レーザ素子１８とを備える光ピックアップ１０において、モニター部２４は干渉が発生していない適正な第１モニター光Ｌ１ｂを受光することが可能である。
【００５１】
＜第２実施形態＞
次に、本発明の第２実施形態に係る光ディスク装置について、図３及び図４を用いてその構成を説明する。図３は光ディスク装置の構成図、図４は光ディスク装置の光ピックアップの分割ミラー及びモニター部周辺の詳細な構成図である。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００５２】
第２実施形態に係る光ディスク装置１の光ピックアップ１０はＤＶＤ及びＣＤ用に光ピックアップであって、図３に示すようにＢＤ用のレーザ素子を含むＢＤ用の光路に係る構成要素を備えていない。すなわち、図１を用いて説明した第１実施形態で見られた偏光ビームスプリッタ１３、第２レーザ素子（第２光源）１８、回折素子１９、第２分割ミラー２０及び第２対物レンズ２１を備えていない。
【００５３】
そして、図４に示すように第１分割ミラー１６を透過した第１モニター光Ｌ１ｂは直接モニター部２４に到達する。モニター部２４は第１分割ミラー１６で反射した第１対物出射光Ｌ１ａの進行方向に対して逆側、すなわち図４において下側に位置する第１モニター光Ｌ１ｂの光束の周縁部の所定領域である干渉が発生しない領域Ｓ内の光を受光するよう配置される。この構成においても、第１実施形態と同様に、光ピックアップ１０は光ディスクに照射される第１対物出射光Ｌ１ａの出力の変動を抑制することができ、光ディスクに対して安定した読み取りや書き込みを行うことが可能になる。
【００５４】
＜第３実施形態＞
次に、本発明の第３実施形態に係る光ディスク装置について、図５を用いてその構成を説明する。図５は光ディスク装置の光ピックアップの分割ミラー及びモニター部周辺の詳細な構成図である。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００５５】
第３実施形態に係る光ディスク装置１の光ピックアップ１０では、図５に示すようにモニター部２５の受光領域２５ａが第１モニター光Ｌ１ｂの光束の下端部から干渉領域までの幅Ｗより大きい直径を有する。すなわち、モニター部２５の受光領域２５ａが第１モニター光Ｌ１ｂの干渉が発生しない領域Ｓ内に収まらず、はみ出す大きさをなす。
【００５６】
しかしながら、モニター部２５は受光領域２５ａが第１モニター光Ｌ１ｂの干渉領域にかからないように配置される。この構成においても、第１実施形態と同様に、光ピックアップ１０は光ディスクに照射される第１対物出射光Ｌ１ａの出力の変動を抑制することができ、光ディスクに対して安定した読み取りや書き込みを行うことが可能になる。
【００５７】
＜第４実施形態＞
次に、本発明の第４実施形態に係る光ディスク装置について、図６を用いてその構成を説明する。図６は光ディスク装置の光ピックアップの第１レーザ素子の光ビームの空間強度分布の構成を示す説明図である。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００５８】
なお、図６は、左上部に描画した第１モニター光Ｌ１ｂの光束に対して、上下方向中央の光ビームの空間強度分布を下側に示し、横方向中央の光ビームの空間強度分布を右側に示している。
【００５９】
第４実施形態に係る光ディスク装置１の光ピックアップ１０では、図６の第１モニター光Ｌ１ｂの光束の右側に示したように第１レーザ素子（第１光源）１１が光ビームの空間強度分布に光ビームの径方向の略全域にわたって強度が略平坦となる部分を有するレーザ光を出射する。そして、その光ビームの強度の略平坦となる方向が第１対物出射光Ｌ１ａの進行方向、すなわち図６の上下方向に沿い略平行をなしている。
【００６０】
この構成によれば、第１モニター光Ｌ１ｂの干渉が発生しない領域における強度が比較的高くなる。したがって、モニター部２４が、干渉が発生していない適正な第１モニター光Ｌ１ｂを受光し易くすることが可能である。
【００６１】
以上、本発明の実施形態につき説明したが、本発明の範囲はこれに限定されるものではなく、発明の主旨を逸脱しない範囲で種々の変更を加えて実施することができる。
【００６２】
例えば、上記実施形態において、モニター部２４、２５は各々の受光領域２４ａ、２５ａが第１モニター光Ｌ１ｂの干渉領域にかからないように配置したが、受光領域２４ａ、２５ａの一部が第１モニター光Ｌ１ｂの干渉領域にかかるように配置しても良い。
【産業上の利用可能性】
【００６３】
本発明は光ピックアップにおいて利用可能である。
【符号の説明】
【００６４】
１    光ディスク装置
２    信号処理部
３    制御部
１０    光ピックアップ
１１    第１レーザ素子（第１光源）
１６    第１分割ミラー
１７    第１対物レンズ
１８    第２レーザ素子（第２光源）
２０    第２分割ミラー
２１    第２対物レンズ
２４、２５    モニター部
２４ａ、２５ａ    受光領域
【図１】
2015041398.tif 000006
【図２】
2015041398.tif 000007
【図３】
2015041398.tif 000008
【図４】
2015041398.tif 000009
【図５】
2015041398.tif 000010
【図６】
2015041398.tif 000011